(57)【要約】  【課題】  本発明は、ボールスクリューの可調式予圧構造を提供する。  【解決手段】  この予圧構造は、略二枚の予圧片から構成され、それぞれの予圧片の一端面の何れも斜面が形成され、前記の各予圧片は、それぞれ前記ボールスクリューの両ナットの間に嵌め、互いに対応して接触することで、これらの各予圧片の相対変位により作動され、両ナット間が受力することになり、また予圧片の結合厚さが変化されることになるため、予圧力の調整は、組付け者の経験に全く頼らずに容易に完成することができる。【選択図】  図３
2007285350.tif 000002
【特許請求の範囲】
【請求項１】
ボールスクリューの両ナットの間に取り付けられ、変位を変更させることにより予圧力を生じさせ、ボールスクリューの予圧力を達成できるボールスクリューの可調式予圧力において、
この予圧構造は、略二枚の予圧片から構成され、それぞれの予圧片の一端面の何れも斜面が形成され、前記の各予圧片は、それぞれ前記ボールスクリューの両ナットの間に嵌め、互いに対応して接触することで、これらの各予圧片の相対変位により作動され、両ナット間が受力することになり、また予圧片の結合厚さが変化することによって、異なる大きさの予圧力が生じることを特徴とするボールスクリューの可調式予圧構造。
【請求項２】
前記一枚の予圧片上に固定キーを位置するための凹溝が開設され、他の予圧片上に複数の穴を開設し、さらに定位ピンを利用して前記各穴に植入してその隣接したナットと一体に結合されることを特徴とする請求項１記載の可調式予圧構造。
【請求項３】
前記予圧片の凹溝と固定キーとの間にパッドが挿入されることを特徴とする請求項２記載の可調式予圧構造。
【請求項４】
前記凹溝が開設された予圧片は、対応する斜面の一つ斜面上に結合リブを形成するとともに、それに隣接したナット上に長さの長い結合溝を成形し、前記結合リブと結合溝とを合せて予圧片の摺動変位が遂行できることを特徴とする請求項２記載の可調式予圧構造。
【発明の詳細な説明】
【技術分野】
【０００１】
本発明は、可調式予圧構造に関し、具体に言えば、特にボールスクリューの可調式予圧構造に関する。
【背景技術】
【０００２】
ボールスクリューは、伝動精密性または伝動確実性などの利点を有しているので、常に精密機械において広く応用されており、作業台の横方向への移動または昇降を行うために制御され、バックラッシュを除去するために用いられる目的とする。
【０００３】
通常、構造的設計では、ナット上に圧力を予設する、例えば図１、図２に示すような、所謂両慣用のボールスクリューの可調式予圧構造である。その可調式予圧ナット１０、１１、１２、１３は、ねじ１１１を利用するか、または螺子１４を利用するかによって両ナット１０、１１、１２、１３間の距離を調整することで、予圧力を調整する目的を達し得る。しかし、このような方法は、予圧力の調整が図れるが、構造的には相対的に複雑になるため、ナット１１の外表面にねじ１１１を作成しなければならない。またナット１２との接触した面上では、ねじ１４を締付けるためのスペースを提供しなければならず、また、ねじの回転により予圧力の大きさを調整して加工製造または組付けなど、何れも明らかに時間または工数がかかってしまうため、生産コストが高くなることも当たり前である。
【発明の開示】
【発明が解決しようとする課題】
【０００４】
前記を鑑みて、上述の問題を解決するために、本発明は、主に、ボールスクリューの可調式予圧構造を提供することを目的とする。
【課題を解決するための手段】
【０００５】
二枚の組合せ型予圧板を応用することは可能で、かつねじでの制御を利用して各異なる程度の大きさを変位させ、それに合せた各異なる大きさの予圧力を生じさせることができる。そのため、予圧力の調整は、組付け者の経験には全く頼らずに行うことができたので、作成上では標準化される利点を容易に達成できるものである。
【発明の効果】
【０００６】
本発明の利点として、ボールスクリューの可調式予圧構造を提供し、取り付ける時に必要な径方向の押圧力により予圧力を制御できるので、調整し易い実効果を備えている。
【０００７】
また、本発明のその他の利点は、ボールスクリューの可調式予圧構造を提供し、締付キーの突出部分の長さ、またはパッドの厚さにより予圧力の大きさを調整して制御することができ、変化上では極めて簡易でかつ実効果を有するものである。
【０００８】
本発明が提供するボールスクリューの可調式予圧構造は、ボールスクリューの両ナットの間に取り付けられ、変位を変えることにより予圧力を生じさせ、ボールスクリューの予圧力を達成できるボールスクリューの可調式予圧力において、
この予圧構造は、略二枚の予圧片からなり、それぞれの予圧片の一端面の何れも斜面が形成され、また前記の各予圧片をそれぞれ前記ボールスクリューの両ナットの間に互いに対応して接触させることで、これらの各予圧片の相対変位により作動され、両ナット間を受力することができ、また予圧片の結合厚さが変化することによって、異なる大きさの予圧力を生じさせることができる。
【０００９】
審査官に、本発明の構造、特徴及びその他の利点をより理解いただくために、より好ましい実施例として、さらに図面を合せて以下のように詳しく説明する。
【発明を実施するための最良の形態】
【００１０】
図３乃至図４を参照すると、本発明が提供するボールスクリューの可調式予圧構造は、ボールスクリューの両ナット２、３の間に取り付けられ、変位の変化により予圧力を生じさせ、ボールスクリューの予圧力の調整を達成できるボールスクリューの可調式予圧構造であって、
前記予圧構造は、全体的に二枚の予圧板４、５から構成され、また各予圧板４、５の一つの端面は、それぞれ斜面４１、５１を形成し、各予圧板４、５は、それぞれ前記ボールスクリューの両ナット２、３の間に嵌められ、さらに各予圧板４、５の斜面４１、５１を互いに対応して接触することで、以上の各予圧板４、５の相対的変位動作により、前記両ナット２、３の間が受力でき、予圧板４、５の結合厚さの変化を生じさせ、異なる大きさの予圧力を生ずることが可能である。
【００１１】
さらに、本発明における予圧力が生ずる動作原理は、図４、図５Ａ、図５Ｂ及び図５Ｃを合わせて参照すれば明らかにされる。前記各予圧板４、５の一方端面が斜面４１、５１に切削され、この斜面４１、５１と他の対応面４２、５２との間の挟み角をαとし、両予圧板４、５が互いに重ね合せた状態（図５Ａに示す）から平行方向へ相対変位する際に、その移動量がΔＬの時、垂直方向はΔＨ（ΔＨ＝ΔＬ×ｔａｎα）を上昇することになり（図５Ｂに示す）、このようにして、両ナット２、３の間には異なる大きさの予圧力を生ずることになる。図５Ｃに示すように、我々は、組付ける時に施された径方向の力はＦ２である時、前記各予圧板４、５とナット２、３との接触面への作用力（即ち、予圧力）は、Ｆ１で、そしてＦ３は各予圧板４、５のその斜面４１、５１の互いの作用力を代表として説明している。
【００１２】
図３に示すように、本発明の予圧構造は、主に二枚の予圧板４、５、パッド６、締付キー７及び調整ねじ７６から構成され、前記の予圧板５の上に前記締付キー７を配置するための凹溝５３が開設され、また他の予圧板４の面上に複数の穴４１１を設置する。定位ピンを利用して前記各穴４１１中に植入してこの予圧板４とその隣接するナット２とが一体に結合される。また、さらに、前記の開設された凹溝５３の予圧板５が対応した斜面５１の一つの対応面５２に結合リブ５２１が形成されると共に、それに隣接したナット３上も、また長さの長い結合溝３１が対応して形成される。前記のように、結合リブ５２１とナット３の結合溝３１との配合により、予圧板５が径方向のスラストの作用を受けて摺動変位動作を遂行することができた。また、注意すべきことは、この予圧板５の凹溝５３と締付キー７との間に、さらにパッド６を挿入することもできる。勿論、予圧大きさの変化に対するコントロールを図るためにもパッド６を一枚以上配置することもでき、配置されたパッド６の数が多いほど予圧力も大きく生じる。
【００１３】
図３、図４に示すように、本発明における前記の締付キー７はＴ型キーに近い形態に形成してもよく、このようにすれば、締付キー７の突出した部分７１を利用して前記パッド６に当接することができると共に、さらに前記予圧板５を押圧する目的に達成できる。また、両側の延伸部７２を利用してナット２、３の係止溝２２、３２とが互いに係止されることで、ナット２、３との結合可能になる。また、完全なる結合を図るためには、さらに、この締付キー７上に固定ねじ穴７３を開設することもでき、ねじ７４を締付けることによってこの締付キー７とナット２、３とが一体に結合される。他に、この予圧板５の進退変位をコントロールするために、さらに、この締付キー７上に調整ねじ穴７５を開設することもでき、調整ねじ７６を締め付けることにより予圧板５を押圧して予圧力を調整することができる。
【００１４】
前記を綜して、本発明の実施例に開示された構造は、二枚の組合式予圧片を適用可能で、ねじを用いて異なる程度の大きさを変位させることによって、生産に合わせた必要な異なる大きさの予圧力が得られ、予圧力の調整は組付操作員の経験に全くよらずに済むため、作成上では標準化される利点が容易に達成し得るものである。
【００１５】
前記本発明のより好ましい実施例及び設計図であるが、単なる本発明を便利に説明するために用いられ、本発明の技術または請求範囲を制限するものではなく、また、それに均等的技術手段、または本発明の「特許請求の範囲」の内容に含まれた権利範囲に基づいて実施する者は、本発明の範疇に離脱せずに本願の権利範囲内に含まれるものとする。
【図面の簡単な説明】
【００１６】
【図１】従来のボールスクリューの可調式予圧構造を示す断面図である。
【図２】他の従来のボールスクリューの可調式予圧構造の局部を示す断面図である。
【図３】本発明の立体斜視図である。
【図４】本発明の組合せた状態を示す断面図である。
【図５Ａ】本発明に示す予圧片の接合状態を示す図である。
【図５Ｂ】本発明に示す予圧片の平行移動状態を示す図である。
【図５Ｃ】本発明に示す一枚の予圧片の負荷状態を示す図である。
【符号の説明】
【００１７】
１０    ナット                        １１    ナット
１１１    ねじ
１２    ナット                        １３    ナット
１４    ねじ
２    ナット                        ２２    係止溝
３    ナット                        ３１    結合溝
３２    係止溝
４    予圧片                        ４１    斜面
４１１    孔部                          ４２    対応面
５    予圧片                        ５１    斜面
５２    対応面                        ５３    凹溝
５２１    結合リブ
６    パッド
７    締付キー                      ７１    突出部分
７２    延伸部                        ７３    固定ねじ穴
７４    ねじ                          ７５    調整ねじ穴
７６    調整ねじ
【図１】
2007285350.tif 000003
【図２】
2007285350.tif 000004
【図３】
2007285350.tif 000005
【図４】
2007285350.tif 000006
【図５Ａ】
2007285350.tif 000007
【図５Ｂ】
2007285350.tif 000008
【図５Ｃ】
2007285350.tif 000009